(57)【要約】      （修正有）【課題】ユーザの顔面に馴染んでマスクの周囲とユーザの顔面との間の隙間の発生を抑制して、細菌やウィルスによる空気感染の予防効果の更なる向上及び／又は微粒子、特には、花粉、ハウスダストや粉塵の除去効果の更なる向上を実現できるマスクを提供する。【解決手段】マスク本体部１０１と、耳掛け紐３とを少なくとも備えるマスク１００であり、該マスク本体部が、該マスク本体部の上側に配されて、該マスク本体部の左右に延在する第１折り目部１−１と、該マスク本体部の下側に配されて、該マスク本体部の左右に延在する第２折り目部１−２と、該第１折り目部の上方に延在する上端部１０１−１と、該第２折り目部の下方に延在する下端部１０１−３と、該第１折り目部と該第２折り目部とによって画定されて、該上端部と該下端部との間に配される中央部１０１−２と、を有し、該耳掛け紐が、該マスク本体部の左右両端部のそれぞれに配されている。【選択図】図１
0003234395.tif 000002
【実用新案登録請求の範囲】
【請求項１】
マスク本体部と、耳掛け紐とを少なくとも備えるマスクであり、
該マスク本体部が、
該マスク本体部の上側に配されて、該マスク本体部の左右に延在する第１折り目部と、
該マスク本体部の下側に配されて、該マスク本体部の左右に延在する第２折り目部と、
該第１折り目部の上方に延在する上端部と、
該第２折り目部の下方に延在する下端部と、
該第１折り目部と該第２折り目部とによって画定されて、該上端部と該下端部との間に配される中央部と、を有し、
該耳掛け紐が、該マスク本体部の左右両端部のそれぞれに配されている、マスク。
【請求項２】
前記上端部と前記中央部とが、該第１折り目部を介して接合されて、
前記下端部と前記中央部とが、該第２折り目部を介して接合されている、請求項１に記載のマスク。
【請求項３】
前記マスク本体部が、第１シートと、第２シートと、少なくとも１つのフィルタと、を備え、
ユーザが前記マスクを該ユーザの顔面に装着したときに、
該ユーザの該顔面側から順に、該第１シートと、該少なくとも１つのフィルタと、該第２シートとが配されている、請求項１又は２に記載のマスク。
【考案の詳細な説明】
【技術分野】
【０００１】
本考案は、マスクに関する。
【背景技術】
【０００２】
近年、病原菌となる細菌やウイルス（例えば、新型コロナウィルス等）の除去、アレルギーを引き起こす花粉やハウスダストの除去、屋外や作業現場での粉塵の除去などのために、家庭用マスクや産業用の悪環境用の防具としてのマスクの需要が非常に高まっている。このため、マスク（家庭用マスク、産業用の悪環境用の防具としてのマスク）に関する研究・開発が盛んに行われているのが現状である（例えば、特許文献１を参照。）。
【先行技術文献】
【特許文献】
【０００３】
【特許文献１】実用新案登録第３１９８５３３号
【考案の概要】
【考案が解決しようとする課題】
【０００４】
しかしながら、特許文献１で提案された技術では、細菌やウィルスによる空気感染の予防効果の更なる向上及び／又は微粒子、特には、花粉、ハウスダストや粉塵の除去効果の更なる向上が図れないおそれがある。
【０００５】
そこで、本考案は、このような状況を鑑みてなされたものであり、ユーザの顔面に馴染んでマスクの周囲とユーザの顔面との間の隙間の発生を抑制して、細菌やウィルスによる空気感染の予防効果の更なる向上及び／又は微粒子、特には、花粉、ハウスダストや粉塵の除去効果の更なる向上を実現できるマスクを提供することを主目的とする。
【課題を解決するための手段】
【０００６】
本考案者は、上述の目的を解決するために鋭意研究を行った結果、驚くべきことに、細菌やウィルスによる空気感染の予防効果の更なる向上及び／又は微粒子、特には、花粉、ハウスダストや粉塵の除去効果の更なる向上を実現できることに成功し、本考案を完成するに至った。
【０００７】
すなわち、本考案は、マスク本体部と、耳掛け紐とを少なくとも備えるマスクであり、
該マスク本体部が、
該マスク本体部の上側に配されて、該マスク本体部の左右に延在する第１折り目部と、
該マスク本体部の下側に配されて、該マスク本体部の左右に延在する第２折り目部と、
該第１折り目部の上方に延在する上端部と、
該第２折り目部の下方に延在する下端部と、
該第１折り目部と該第２折り目部とによって画定されて、該上端部と該下端部との間に配される中央部と、を有し、
該耳掛け紐が、該マスク本体部の左右両端部のそれぞれに配されている、マスクを提供する。
【０００８】
また、本考案に係るマスクにおいては、前記上端部と前記中央部とが、該第１折り目部を介して接合されていてもよく、前記下端部と前記中央部とが、該第２折り目部を介して接合されていてもよい。また、本考案に係るマスクにおいては、前記マスク本体部が、第１シートと、第２シートと、少なくとも１つのフィルタと、を備えていてもよく、ユーザが前記マスクを該ユーザの顔面に装着したときに、該ユーザの該顔面側から順に、該第１シートと、該少なくとも１つのフィルタと、該第２シートとが配されていてもよい。
【考案の効果】
【０００９】
本考案によれば、細菌やウィルスによる空気感染の予防効果の更なる向上及び／又は微粒子、特には、花粉、ハウスダストや粉塵の除去効果の更なる向上が実現され得る。
【図面の簡単な説明】
【００１０】
【図１】図１は、本考案に係るマスクの斜視図である。
【図２】図２は、本考案に係るマスクが備えるマスク本体部の上端部、中央部及び下端部のそれぞれの平面図である。
【図３】図３は、本考案に係るマスクの平面図である。
【考案を実施するための形態】
【００１１】
本考案に係るマスクについて、図１〜図３を用いて説明する。
【００１２】
図１は、本考案に係るマスクの斜視図であり、より具体的には、マスク１００の斜視図である。
【００１３】
図２は、本考案に係るマスクが備えるマスク本体部の上端部、中央部及び下端部の平面図であり、より具体的には、図２（Ａ）は、マスク本体部１０１の上端部１０１−１の平面図であり、図２（Ｂ）は、マスク本体部１０１の中央部１０１−２の平面図であり、図２（Ｃ）は、マスク本体部１０１の下端部１０１−３の平面図である。
【００１４】
図３は、本考案に係るマスクの平面図であり、より具体的には、より具体的には、図３（Ａ）は、ユーザの顔面に装着しようとするときの外気側（外側）のマスク１００の平面図であり、図３（Ｂ）は、ユーザの顔面に装着しようとするときの顔面側（内側）のマスク１００の平面図である。
【００１５】
図１に示されるように、マスク１００は、マスク本体部１０１と、耳掛け紐３とを少なくとも備える。耳掛け紐３は、マスク本体部１０１の左右両端部（図１中の左右方向）のそれぞれに配されている。マスク本体部１０１は、マスク本体部１０１の上側に配されて、マスク本体部１０１の左右に延在する第１折り目部１−１と、マスク本体部１０１の下側に配されて、マスク本体部１０１の左右に延在する第２折り目部１−２と、第１折り目部１−１の上方に延在する上端部１０１−１と、第２折り目部１−２の下方に延在する下端部１０１−３と、第１折り目部１−１と第２折り目部１−２とによって画定されて、上端部１０１−１と下端部１０１−３との間に配される中央部１０１−２と、を有する。
【００１６】
マスク１００においては、上端部１０１−１と中央部１０１−２とが、第１折り目部１−１を介して接合されて、下端部１０１−３と中央部１０１−２とが、第２折り目部１−２を介して接合されている。マスク１００においては、上端部１０１−１及び中央部１０１−２、並びに、下端部１０１−３及び中央部１０１−２は、超音波溶着（参照符号３０は、超音波溶着部を示す。）によって接合されている。図３（特には、図３（Ｂ））に示されるように、ユーザがマスク１００をユーザの顔面に装着する前は、上端部１０１−１及び下端部１０１−３は、上端部１０１−１が下端部１０１−３の一部を覆うように、中央部１０１−２の顔面側の面側に折り畳まれて、マスク１００は、コンパクトの形態となっている。続いて、ユーザがマスク１００をユーザの顔面に装着する時には、ユーザは、上端部１０１−１及び下端部１０１−３を、外気側（外側）の方向に開いて、ユーザは、ユーザの顔面に馴染むように、マスク１００を、ユーザの顔面に隙間がないようにぴったりと装着する。
【００１７】
マスク１００においては、上端部１０１−１と下端部１０１−３とは、外気側（外側）の方向に開かれると、中央部１０１―２は船底状の形態となる。そして、マスク１００全体を俯瞰すれば、上端部１０１−１及び下端部１０１−３が側面に対応し、中央部１０１―２が底面に対応し、マスク１００は上面がない箱型形状となる。マスク１００は、ユーザの顔面に馴染んでマスクの周囲とユーザの顔面との間の隙間の発生を抑制して、細菌やウィルスによる空気感染の予防効果の更なる向上及び／又は微粒子、特には、花粉、ハウスダストや粉塵の除去効果の更なる向上を実現できる。すなわち、マスク１００は、密封性が良好であり（マスク１００はＮ９５マスクと称してもよい。）ながら、上述したように、箱型形状であるため、マスク１００と顔面との間には適度な空間があり、例えば、女性がマスク１００を装着した場合には、口紅やファンデーションが、マスク１００に付着しにくいという効果が奏される。
【００１８】
マスク１００においては、ユーザがマスク１００をユーザの顔面（図１においては不図示）に装着したときに、ユーザの鼻に対向するように、ノーズワイヤ２がマスク本体部１０１の上部に配されている。言い換えると、ノーズワイヤ２は、マスク本体部１０１の上端部１０１−１に取り付けられている。また、マスク１００においては、図示はされていないが、ユーザがマスクをユーザの前記顔面に装着したときに、ユーザの口元に対向するように、口元ワイヤがマスク本体部１０１に配されていてもよい。その場合、口元ワイヤは、マスク本体部１０１の中央部１０１−２に取り付けられていてもよい。ノーズワイヤ２及び口元ワイヤ（不図示）は、マスク本体部１０１の素材（例えば、不織布）との加工性・親和性の観点から、やや硬い塑性プラスチック細型材が好適である。ノーズワイヤ２及び口元ワイヤを構成する材料（材質）は、例えばポリエチレン等が挙げられる。ノーズワイヤ及び口元ワイヤが、マスク１００に配されることによって、顔面の複雑な個体差ある曲面にフィットさせることができる。
【００１９】
図示はされていないが、マスク１００が備えるマスク本体部１０１は、ユーザの顔面側から順に、第１不織布シート（第１シート）と、第２不織布シート（第２シート）とを備えていてもよい。そして、マスク本体部１０１には、第１不織布シート（第１シート）と、第２不織布シート（第２シート）との間に、少なくとも１つの不織布フィルタ（フィルタ）が配されていてもよい。例えば、１つの不織布フィルタ（フィルタ）が配されていれば、マスク本体部１０１は、３層構造を有することとなり、２つの不織布フィルタ（フィルタ）が配されていれば、マスク本体部１０１は、４層構造を有することとなる。マスク本体部１−１は、例えば、３層構造又は４層構造を有することによって、ＰＭ２．５、ウィルス飛沫、黄砂、花粉等の侵入が防止され得る。
【００２０】
第１不織布シート（第１シート）は、例えば、スパンボンド製法で作製された不織布である。第１不織布シート（第１シート）を構成する不織布の材質は、例えば、ポリプロピレン、ポリエチレン、ＥＳ繊維、レーヨン等が挙げられる。
【００２１】
第２不織布シート（第２シート）は、例えば、スパンボンド製法で作製された不織布である。第２不織布シート（第２シート）を構成する不織布の材質は、例えば、ポリプロピレン、ポリエチレン、ＥＳ繊維、レーヨン等が挙げられる。不織布フィルタ（フィルタ）は、例えば、メルトブロー法で作製された不織布から構成される。
【符号の説明】
【００２２】
１−１・・・第１（上側）折り目部、
１−２・・・第２（下側）折り目部、
２・・・ノーズワイヤ、
３・・・耳掛け紐、
３０・・・超音波溶着部、
１００・・・マスク、
１０１・・・マスク本体部、
１０１−１・・・マスク本体部の上端部、
１０１−２・・・マスク本体部の中央部、
１０１−３・・・マスク本体部の下端部。
【図１】
0003234395.tif 000003
【図２】
0003234395.tif 000004
【図３】
0003234395.tif 000005